(57)【要約】【課題】適度な摩擦力を得るための調整が容易であり、構造が簡単で低コスト化を図ること。【解決手段】基台１１、基台に設けられた支持脚部１２、支持脚部に対して取付けネジ１５を締めつけることによって支持脚部に対して押しつけるように配置された押付け部材１３ａ，１３ｂ、支持脚部と押付け部材との間に挟まれて取付けネジの軸を中心として回動可能に設けられた環状の回動支持部１４１ａ，１４１ｂおよび回動支持部に連続して設けられ電子機器を取り付けるための取付け部１４２を有する取付け支持部材１４、回動支持部と押付け部材との間に配置され且つ支持脚部に対して回動不能に設けられた摺動性を有する合成樹脂からなる環状の摺動シート部材１６ａ，１６ｂを有する。【選択図】      図３
2005308069.tif 000002
【特許請求の範囲】
【請求項１】
電子機器を回動可能に支持するための支持装置であって、
基台と、
前記基台に設けられた支持脚部と、
前記支持脚部に対して取付けネジによって取り付けられ、前記取付けネジを締めつけることによって前記支持脚部に対して押しつけるように配置された押付け部材と、
前記支持脚部と前記押付け部材との間に挟まれて前記取付けネジの軸を中心として回動可能に設けられた環状の回動支持部および前記回動支持部に連続して設けられ前記電子機器を取り付けるための取付け部を有する取付け支持部材と、
前記回動支持部と前記押付け部材との間に配置され且つ前記支持脚部に対して回動不能に設けられた摺動性を有する合成樹脂からなる環状の摺動シート部材と、
を有してなることを特徴とする電子機器の支持装置。
【請求項２】
前記押付け部材は、前記取付けネジが当接する中心部分と前記摺動シート部材に当接する部分との間にわたって可撓性を有しており、前記取付けネジを締めつけることによって撓んで変形し、その変形による弾性力によって前記摺動シート部材を押しつけるように構成されている、
請求項１記載の電子機器の支持装置。
【請求項３】
前記押付け部材は、前記中心部分が前記摺動シート部材および前記回動支持部の穴の中に嵌まり込み、これによって前記回動支持部が前記中心部分の周りに回動するように構成されている、
請求項１または２記載の電子機器の支持装置。
【請求項４】
前記押付け部材は、
前記支持脚部に対して押しつける部分に円環状に突出して設けられた押当突起と、
前記押当突起よりも半径が小さく且つ突起の高さが低い補助突起が前記押当突起と同心状に設けられてなる、
請求項１ないし３のいずれかに記載の電子機器の支持装置。
【請求項５】
前記回動支持部と前記支持脚部との間に配置された摺動性を有する合成樹脂からなる環状の第２の摺動シート部材が設けられてなる、
請求項１ないし４のいずれかに記載の電子機器の支持装置。
【請求項６】
前記摺動シート部材および前記第２の摺動シート部材には、それぞれ、摩耗粉を収納可能な穴が設けられてなる、
請求項５記載の電子機器の支持装置。
【請求項７】
前記支持脚部には、前記押付け部材の側に向かって突出する２つの係止突起が、同一円周上に互いに角度間隔を有して設けられており、
前記摺動シート部材には、その外周に突出する係止シート部が設けられ、
前記係止シート部が前記２つの係止突起の間に嵌まり込むことによって、前記摺動シート部材が前記支持脚部に対して回動不能となっている、
請求項１ないし６のいずれかに記載の電子機器の支持装置。
【請求項８】
前記回動支持部には、その外周に突出する係止支持部が設けられ、
前記係止支持部が前記２つの係止突起の間で回動可能であり、前記２つの係止突起のいずれかに当接して係止されることによって、前記取付け支持部材の回動角度の規制がなされている、
請求項７記載の電子機器の支持装置。
【請求項９】
前記支持脚部は、合成樹脂によって前記基台と一体に形成された脚壁部と、前記脚部壁部に当接するように前記押付け部材に対して反対側に設けられたナット部材とを有する、
請求項１ないし８のいずれかに記載の電子機器の支持装置。
【請求項１０】
電子機器を回動可能に支持するための支持装置であって、
合成樹脂により形成された基台と、
前記基台に対してほぼ垂直に突出するように且つ互いに平行に間隔を有して前記基台と一体に形成された２つの脚壁部と、
前記２つの脚壁部のそれぞれの裏側に配置された２つのナット部材と、
前記２つのナット部材に対してそれぞれ外側から取付けネジによって取り付けられ、前記取付けネジをそれぞれ締めつけることによって前記脚壁部に対して押しつけるように配置された２つの押付け部材と、
前記脚壁部と前記押付け部材との間にそれぞれ挟まれて前記取付けネジの軸を中心として回動可能に設けられた環状の２つの回動支持部および前記２つの回動支持部に連続して設けられ前記電子機器を取り付けるための取付け部を有する取付け支持部材と、
前記回動支持部と前記押付け部材との間にそれぞれ配置され且つ前記脚壁部に対して回動不能に設けられた摺動性を有する合成樹脂からなる環状の摺動シート部材と、
を有してなることを特徴とする電子機器の支持装置。
【発明の詳細な説明】
【技術分野】
【０００１】
本発明は、液晶パネルからなるディスプレイなどの電子機器を回動可能に支持するための支持装置に関する。
【背景技術】
【０００２】
従来より、液晶パネルやプラズマディスプレイパネルなどの薄型ディスプレイを支持するために、鉛直面内で回動可能ないわゆるチルト機構を有する支持装置が種々提案されている。
【０００３】
例えば、特許文献１に開示された支持装置は、基板に対してチルトユニットが水平面内で回動可能に設けられている。
【０００４】
図１０は特許文献１に開示された従来の支持装置のチルトユニット８１を示す斜視図である。
【０００５】
図１０において、チルトユニット８１は、全て金属材によって形成された、２つの支持部材２４１ａ，２４１ｂ、回動アーム２４２、および２つの回動軸２４３ａ，２４３ｂからなる。支持部材２４１ａ，２４１ｂは、それぞれ断面がＬ字形に形成される。回動アーム２４２は、２つの脚部２４２ａ，２４２ｂ、および２つの脚部２４２ａ，２４２ｂの上端部においてそれらを互いに連結する連結部２４２ｃが、金属材料によって一体的に形成されている。２つの脚部２４２ａ，２４２ｂは、それぞれ支持部材２４１ａ，２４１ｂに対し、回動軸２４３ａ，２４３ｂによって垂直面内で回動可能に取り付けられている。
【０００６】
すなわち、回動軸２４３ａ，２４３ｂは、軸部の一端に径大の頭部が設けられたもので、支持部材２４１ａ，２４１ｂおよび脚部２４２ａ，２４２ｂの穴に挿入され、軸部の先端がかしめられる。支持部材２４１ａ，２４１ｂの両側には、１枚または複数枚の環状のバネ板材からなる摩擦部材２４７ａ，２４７ｂが挟み込まれている。
【０００７】
回動軸２４３ａ，２４３ｂの先端のかしめの程度を調整することによって、脚部２４２ａ，２４２ｂと支持部材２４１ａ，２４１ｂとの間で回動時に適度な摩擦力が発生するようにして、これによりチルト時のトルクを得ている。
【０００８】
また、特許文献２には、回転キャビネットと押圧部材との間に摺動部材を挟み、板バネをその周方向の２ヵ所で座金付きビスにより回転キャビネットに取付け、当該板バネによって適度な摩擦力が得られるように調整するチルト機構が開示されている。
【特許文献１】特開２００２−１４９０７８
【特許文献１】特開平１１−１４６２４４
【発明の開示】
【発明が解決しようとする課題】
【０００９】
上に述べた特許文献１の支持装置による場合には、摩擦力つまりトルクの調整を軸部のかしめの程度によって行わなければならず、その調整が容易ではない。また、かしめ作業のために大型のプレス装置が必要であり、コスト高となる。
【００１０】
また、上に述べた特許文献２の支持装置による場合には、板バネを２つの座金付きビスで回転キャビネットに取付けることにより摩擦力を調整しているので、２つの座金付きビスの締め付け度合いをバランス良く行う必要があり、円滑な摩擦力を得るための調整が難しい。また、２つの座金付きビスと板バネで摺動部材を押圧する構造が複雑であるのでコスト高の要因となる。
【００１１】
本発明は、上述の問題に鑑みてなされたもので、適度な摩擦力を得るための調整が容易であり、構造が簡単で低コスト化を図ることのできる電子機器の支持装置を提供することを目的とする。
【課題を解決するための手段】
【００１２】
本発明に係る支持装置は、電子機器を回動可能に支持するための支持装置であって、基台と、前記基台に設けられた支持脚部と、前記支持脚部に対して取付けネジによって取り付けられ、前記取付けネジを締めつけることによって前記支持脚部に対して押しつけるように配置された押付け部材と、前記支持脚部と前記押付け部材との間に挟まれて前記取付けネジの軸を中心として回動可能に設けられた環状の回動支持部および前記回動支持部に連続して設けられ前記電子機器を取り付けるための取付け部を有する取付け支持部材と、前記回動支持部と前記押付け部材との間に配置され且つ前記支持脚部に対して回動不能に設けられた摺動性を有する合成樹脂からなる環状の摺動シート部材とを有する。
【００１３】
好ましくは、前記押付け部材は、前記取付けネジが当接する中心部分と前記摺動シート部材に当接する部分との間にわたって可撓性を有しており、前記取付けネジを締めつけることによって撓んで変形し、その変形による弾性力によって前記摺動シート部材を押しつけるように構成される。
【００１４】
また、前記押付け部材は、前記中心部分が前記摺動シート部材および前記回動支持部の穴の中に嵌まり込み、これによって前記回動支持部が前記中心部分の周りに回動するように構成される。
【００１５】
また、前記押付け部材は、前記支持脚部に対して押しつける部分に円環状に突出して設けられた押当突起と、前記押当突起よりも半径が小さく且つ突起の高さが低い補助突起が前記押当突起と同心状に設けられる。
【００１６】
また、回動支持部と前記支持脚部との間に配置された摺動性を有する合成樹脂からなる環状の第２の摺動シート部材が設けられる。
【００１７】
また、前記摺動シート部材および前記第２の摺動シート部材には、それぞれ、摩耗粉を収納可能な穴が設けられる。
【００１８】
また、前記支持脚部には、前記押付け部材の側に向かって突出する２つの係止突起が、同一円周上に互いに角度間隔を有して設けられており、前記摺動シート部材には、その外周に突出する係止シート部が設けられ、前記係止シート部が前記２つの係止突起の間に嵌まり込むことによって、前記摺動シート部材が前記支持脚部に対して回動不能となっている。
【００１９】
また、前記回動支持部には、その外周に突出する係止支持部が設けられ、前記係止支持部が前記２つの係止突起の間で回動可能であり、前記２つの係止突起のいずれかに当接して係止されることによって、前記取付け支持部材の回動角度の規制がなされている。
【００２０】
また、前記支持脚部は、合成樹脂によって前記基台と一体に形成された脚壁部と、前記脚部壁部に当接するように前記押付け部材に対して反対側に設けられたナット部材とを有する。
【発明の効果】
【００２１】
本発明によると、適度な摩擦力を得るための調整が容易であり、構造が簡単で低コスト化を図ることができる。
【発明を実施するための最良の形態】
【００２２】
図１は本発明に係る支持装置３によって支持されたディスプレイ装置１を背面から見た斜視図、図２は支持装置３を背面側から見た斜視図、図３は支持装置３を分解して示す斜視図、図４は支持装置３の正面図、図５は支持装置３の右側面図、図６は支持装置３の底面図、図７は支持装置３の一部を底面側から見た斜視図、図８は支持装置３の図５におけるＡ−Ａ線断面矢視図、図９は支持装置３の図５におけるＢ−Ｂ線断面矢視図である。
【００２３】
図１において、ディスプレイ装置１は、ディスプレイ本体２および支持装置３からなる。
【００２４】
図２〜図７、特にその図３によく示されるように、支持装置３は、基台１１、支持脚部１２、押付け部材１３ａ，１３ｂ、取付け支持部材１４、取付けネジ１５ａ，１５ｂ、摺動シート部材１６ａ，１６ｂ、摺動シート部材１７ａ，１７ｂ、およびナット部材１８ａ，１８ｂなどからなる。
【００２５】
基台１１は、平面視が略矩形状であり、支持脚部１２の一部とともに、例えばポリカーボネートなどの合成樹脂によって一体に成形されている。支持脚部１２は、基台１１の上面のほぼ中央において、上方に突出するように中空状に形成されている。
【００２６】
図６および図７〜図９によく示されるように、基台１１の底面側には、多数の格子状のリブ１１１が設けられる。支持脚部１２は、基台１１に対して上方にほぼ垂直に突出するように且つ互いに平行に間隔を有して設けられた２つの脚壁部１２１ａ，１２１ｂを有する。
【００２７】
上に述べたナット部材１８ａ，１８ｂは、金属材料からなり、脚部壁部１２１ａ，１２１ｂにそれぞれ当接するように、押付け部材１３ａ，１３ｂに対して反対側に設けられている。また、図６、図７、および図９に示されるように、支持脚部１２には、ナット部材１８ａ，１８ｂが回転しないように係止するための係止リブ１２５ａ，１２６ａ、１２５ｂ，１２６ｂが設けられている。
【００２８】
取付け支持部材１４は、金属板をプレス加工することによって形成されており、脚壁部１２１ａ，１２１ｂと押付け部材１３ａ，１３ｂとの間にそれぞれ挟まれて取付けネジ１５ａ，１５ｂの軸を中心として回動可能に設けられた環状の回動支持部１４１ａ，１４１ｂ、および、回動支持部１４１ａ，１４１ｂに連続して設けられディスプレイ本体２を取り付けるための取付け部１４２を有する。取付け部１４２には、取り付け用の穴１４４が設けられている。
【００２９】
本実施形態の支持装置３においては、脚部壁部１２１ａ，１２１ｂ、押付け部材１３ａ，１３ｂ、回動支持部１４１ａ，１４１ｂ、取付けネジ１５ａ，１５ｂ、摺動シート部材１６ａ，１６ｂ、摺動シート部材１７ａ，１７ｂ、およびナット部材１８ａ，１８ｂによって、基台１１の左右にそれぞれチルト機構ＴＫが構成されている。これら左右のチルト機構ＴＫは、互いに同じ構造であり同じ機能を有するので、以下、主としてその一方のみについて説明する。
【００３０】
図３、図７、および図８によく示されるように、脚部壁部１２１ａには、外側に突出する円環状の押当突起１２２ａが設けられている。また、図３に示されるように、脚部壁部１２１ａには、外側である押付け部材１３ａの側に向かって突出する２つの係止突起１２３ａ，１２４ａが、同一円周上に互いに角度間隔を有して設けられている。
【００３１】
押付け部材１３ａは、ポリカーボネートなどの合成樹脂によって形成されている。押付け部材１３ａは、支持脚部１２の脚壁部１２１ａに対して、ナット部材１８ａにネジ込まれた取付けネジ１５ａによって取り付けられ、取付けネジ１５ａを締めつけることによって、脚壁部１２１ａに対して押しつけるように設けられている。なお、取付けネジ１５ａは、その頭部が特殊な工具のみに係合するようになっている。これによって、工場での組み立て工程またはメンテナスの担当者のみが取付けネジ１５ａを回転させてトルクを調整することができる。
【００３２】
図８および図９によく示されるように、押付け部材１３ａは、取付けネジ１５ａが当接する中心部分１３１ａが有底円筒状に形成され、中心部分１３１ａの中央に穴１３２ａが設けられ、穴１３２ａに取付けネジ１５ａが挿通され、且つ取付けネジ１５ａの頭部が中心部分１３１ａの凹部１３３ａに収納されている。
【００３３】
中心部分１３１ａは、回動支持部１４１ａ、および摺動シート部材１６ａ，１６ｂの中央に設けられた穴の中に嵌まり込み、これによって回動支持部１４１ａが中心部分１３１ａの周りに回動するようになっている。
【００３４】
押付け部材１３ａの中心部分１３１ａを除いた部分は、半円部分と台形部分とを接合したような形状の本体部１３４ａとなっている。本体部１３４ａの内側面、つまり脚壁部１２１ａに対して押しつける部分に、円環状に突出した押当突起１３５ａが設けられており、さらに、押当突起１３５ａよりも半径が小さく且つ突起の高さが低い補助突起１３６ａが、押当突起１３５ａと同心状に設けられている。
【００３５】
押付け部材１３ａは、中心部分１３１ａの取付けネジ１５ａが当接する部分と摺動シート部材１６ａに当接する部分である押当突起１３５ａとの間にわたって可撓性を有しており、取付けネジ１５ａを締めつけることによって撓んで変形し、その変形による弾性力によって、押当突起１３５ａの全周の表面で摺動シート部材１６ａを押しつける。そして、取付けネジ１５ａをさらに強く締めつけることによって、当初は当接していなかった補助突起１３６ａが摺動シート部材１６ａに当接するようになる。補助突起１３６ａが摺動シート部材１６ａに当接すると、一層強く摺動シート部材１６ａを押しつけることになる。なお、押当突起１３５ａと補助突起１３６ａとの高さの差は、例えば、０．５〜１．５ミリメートル程度である。
【００３６】
なお、取付けネジ１５ａを強く締めつけた場合であっても、中心部分１３１ａは脚壁部１２１ａに当接することはない。
【００３７】
図３によく示されるように、摺動シート部材１６ａは、摺動性を有する合成樹脂によって環状の薄いシート状に形成されている。合成樹脂として、例えば摺動材料として好適な自己潤滑性を有する樹脂が用いられる。
【００３８】
摺動シート部材１６ａは、すでに述べたように、回動支持部１４１ａと押付け部材１３ａとの間に配置される。摺動シート部材１６ａには、その外周に突出する係止シート部１６１ａが設けられ、係止シート部１６１ａが、２つの係止突起１２３ａ，１２４ａの間に嵌まり込むことによって、摺動シート部材１６ａが脚壁部１２１ａに対して回動不能となっている。
【００３９】
摺動シート部材１６ａには、周方向の等間隔位置の３ヵ所に穴１６２ａ〜ｃが設けられている。これらの穴１６２ａ〜ｃは、摺動によって摺動シート部材１６ａなどが摩耗した場合に、その摩耗粉を収納するためのものである。これによって、摩耗粉が摺動面に残ることがなく、円滑で安定したトルクを得ることができる。
【００４０】
摺動シート部材１７ａは、本発明における第２の摺動シート部材に相当するものであり、本実施形態においては、摺動シート部材１６ａと同一のものが用いられる。すなわち、摺動シート部材１７ａは、回動支持部１４１ａと脚壁部１２１ａとの間に配置される。摺動シート部材１７ａにも、その外周に突出する係止シート部１７１ａが設けられ、これが２つの係止突起１２３ａ，１２４ａの間に嵌まり込むことによって回動不能となっている。
【００４１】
また、回動支持部１４１ａにも、その外周に突出する係止支持部１４３ａが設けられ、係止支持部１４３ａが２つの係止突起１２３ａ，１２４ａの間で回動可能となっている。係止支持部１４３ａが２つの係止突起１２３ａ，１２４ａのいずれかに当接して係止されることによって、取付け支持部材１４の回動角度つまりチルト角度の規制がなされている。
【００４２】
また、ディスプレイ本体２を起こしたときに、取付け部１４２の下部が支持脚部１２の中央に設けられた突出部１２７に当接し、ディスプレイ本体２を倒したときに、回動支持部１４１ａ，１４１ｂの外周の上部の端部が支持脚部１２の突出部１２８ａ，１２８ｂに当接することにより、チルト角度の規制がなされるようにしてもよい。
【００４３】
次に、支持装置３の作用について説明する。
【００４４】
本実施形態の支持装置３は、上に述べたような構造であり、ドライバーなどで取付けネジ１５ａ，１５ｂを締めつけることによって組み立てが完了する。しかも、取付けネジ１５ａ，１５ｂの締め付けトルクを調整することによって、２つの摺動シート部材１６ａ，１７ａと回動支持部１４１ａとの間の摩擦力を調整し、これによってチルト時のトルクが調整される。取付けネジ１５ａ，１５ｂの締め付けトルクが、予め決定した設計値、または実験によって決めた実験値となるように締めつけられる。締め付けトルクは、トルクドライバーなどを用いることによって容易に管理し、また締め付けの自動化も可能である。
【００４５】
したがって、適度な摩擦力つまりチルト時のトルクを得るための調整が容易である。しかも、左右１つずつ合計２つの取付けネジ１５ａ，１５ｂのみが用いられ、これによって、２つの摺動シート部材１６ａ，１７ａと回動支持部１４１ａを挟んで、押付け部材１３ａ，１３ｂを支持脚部１２に取り付けるだけでよいから、構造が簡単で組み立てが容易である。したがって、低コスト化を図ることが可能である。
【００４６】
ディスプレイ本体２を傾けることによって取付け支持部材１４が回転しても、摺動シート部材１６ａは回転しないように係止されているので、押付け部材１３ａ，１３ｂが回転することはなく、したがって取付けネジ１５ａ，１５ｂが緩むことはない。また、取付けネジ１５ａ，１５ｂは、押付け部材１３ａ，１３ｂを撓ませる程度のトルクで締め付けられており、押付け部材１３ａ，１３ｂの変形による弾性力による摩擦力がネジ面に作用しているから、振動などによっても長期にわたって緩むことがない。また、頭部が特殊な工具のみに係合するようになっているので、ディスプレイ装置１のユーザがさわって脱落してしまうことがない。なお、取付けネジ１５ａ，１５ｂに、スプリングワッシャ、菊座金、ワッシャなどを併用してもよい。
【００４７】
また、基台１１と支持脚部１２とが合成樹脂によって一体に成形されており、支持脚部１２の左右の両端部が押付け部材１３ａ，１３ｂによってカバーされているから、デザインの点からも綺麗に形成することが可能であり、デザイン上の自由度も高い。
【００４８】
上述の実施形態において、基台１１、支持脚部１２、押付け部材１３ａ，１３ｂ、取付け支持部材１４、取付けネジ１５ａ，１５ｂ、摺動シート部材１６ａ，１６ｂ、１７ａ，１７ｂ、および支持装置３の全体または各部の構造、形状、寸法、材質、個数などは、本発明の趣旨に沿って適宜変更することができる。
【００４９】
本発明は、ディスプレイ装置１以外の種々の電子機器の支持に適用することができる。
【産業上の利用可能性】
【００５０】
テレビジョン、パーソナルコンピュータなどのディスプレイ装置などにおいて、ディスプレイ本体などをチルト可能に支持する支持装置として利用される。
【図面の簡単な説明】
【００５１】
【図１】本発明に係る支持装置によって支持されたディスプレイ装置を背面から見た斜視図である。
【図２】支持装置を背面側から見た斜視図である。
【図３】支持装置を分解して示す斜視図である。
【図４】支持装置の正面図である。
【図５】支持装置の右側面図である。
【図６】支持装置の底面図である。
【図７】支持装置の一部を底面側から見た斜視図である。
【図８】支持装置の図５におけるＡ−Ａ線断面矢視図である。
【図９】支持装置の図５におけるＢ−Ｂ線断面矢視図である。
【図１０】従来の支持装置のチルトユニットを示す斜視図である。
【符号の説明】
【００５２】
１  ディスプレイ装置（電子機器）
３  支持装置
１１  基台
１２  支持脚部
１２１ａ，１２１ｂ  脚壁部
１２３ａ，１２４ａ  係止突起
１３ａ，１３ｂ  押付け部材
１３５ａ，１３５ｂ  押当突起
１３６ａ，１３６ｂ  補助突起
１４  取付け支持部材
１４１ａ，１４１ｂ  回動支持部
１４２  取付け部
１４３ａ，１４３ｂ  係止支持部
１５ａ，１５ｂ  取付けネジ
１６ａ，１６ｂ  摺動シート部材
１６１ａ，１７１ａ  係止シート部
１６２ａ〜ｃ  穴
１７ａ，１７ｂ  摺動シート部材（第２の摺動シート部材）
１８ａ，１８ｂ  ナット部材
【図１】
2005308069.tif 000003
【図２】
2005308069.tif 000004
【図３】
2005308069.tif 000005
【図４】
2005308069.tif 000006
【図５】
2005308069.tif 000007
【図６】
2005308069.tif 000008
【図７】
2005308069.tif 000009
【図８】
2005308069.tif 000010
【図９】
2005308069.tif 000011
【図１０】
2005308069.tif 000012